(57)【特許請求の範囲】
【請求項１】
液晶パネル及び該液晶パネルの表示を制御するＭＰＵが備えられた操作部を有するファクシミリ装置において、前記ＭＰＵは、前記液晶パネルに表示を行うためのフォントデータ、及びフォントデータの書き換えを制御するフォントデータ書き換えプログラムを記憶したフラッシュＲＯＭを備え、前記操作部は、複数の種類の書き換え用のフォントデータを記憶したメモリを前記ＭＰＵに接続した状態で、所定の操作が行われることによって、前記メモリから前記フラッシュＲＯＭに該所定の操作に対応した書き換え用フォントデータを転送し、前記フラッシュＲＯＭに記憶したフォントデータの書き換えを可能にしたことを特徴とするファクシミリ装置。
【発明の詳細な説明】
【０００１】
【発明の属する技術分野】
本発明は、ファクシミリ装置、より詳細には、操作部液晶パネルの表示文字を使用される言語に対応して変更可能なファクシミリ装置に関し、文字を表示する液晶パネルを有する装置に応用可能な技術に関する。
【０００２】
【従来の技術】
従来、ファクシミリ装置の液晶パネルに表示できる文字／記号フォントとしては、ファクシミリ装置の操作部のハードウェアに記憶されたものを用いることから、その種類には制限があり、例えば、自国の使用言語の文字フォントがハードウェアに記憶されていないユーザにとっては、言語の理解が困難で使い難いという問題がある。
【０００３】
各国の言語フォントに対応するには、フォント毎に個別のハードウェアを用意する必要があり、製品価格が高くなるという問題が生じる。また、各国の言語フォントに対応するためにハードウェアを変更・改造する構成では、フォントの変更が不便で、使用言語が複数混在する地域における販売には不利である。
【０００４】
【発明が解決しようとする課題】
本発明は、上述のごとき実情に鑑みてなされたもので、操作部液晶パネルの表示文字を簡易に変更することができ、例えば使用言語が異なる地域に対しても対応が可能としたファクシミリ装置を提供することを目的とする。
【０００５】
【課題を解決するための手段】
請求項１の発明は、液晶パネル及び該液晶パネルの表示を制御するＭＰＵが備えられた操作部を有するファクシミリ装置において、前記ＭＰＵは、前記液晶パネルに表示を行うためのフォントデータ、及びフォントデータの書き換えを制御するフォントデータ書き換えプログラムを記憶したフラッシュＲＯＭを備え、前記操作部は、複数の種類の書き換え用のフォントデータを記憶したメモリを前記ＭＰＵに接続した状態で、所定の操作が行われることによって、前記メモリから前記フラッシュＲＯＭに該所定の操作に対応した書き換え用フォントデータを転送し、前記フラッシュＲＯＭに記憶したフォントデータの書き換えを可能にしたことを特徴としたものである。
【０００８】
【発明の実施の形態】
図１は、本発明によるファクシミリ装置の一実施形態を説明するためのシステムブロック図である。本実施形態のファクシミリ装置は、本装置全体を制御する制御部１、制御のためのプログラムや制御に必要な種々のデータを記憶しているメモリ２、原稿読み取りを行うスキャナ３、コピーや受信原稿出力の記録を行うプロッタ４、読み取った画情報の処理を行う画像処理部８、オペレータによる操作を入力するとともに情報をオペレータに伝える操作部９、相手ファクシミリ装置との間でファクシミリ制御信号を交換してファクシミリ通信手順を実行し、電話回線１１の制御を行う網制御部５、送信信号の変調や受信信号の復調及び音声コードを復調して音声発信を行うモデム６、及び画情報を所定の符号化方式に従って符号化し、また符号化された画情報を複合化する符号化・複号化部７から構成されており、これら各部はバス１０により接続されている。
【０００９】
図２は、図１に示す操作部９のさらに詳細な構成を示す図である。操作部９の内部は、文字や記号を表示する液晶パネル９１、液晶パネル９１を電気的に駆動する液晶ドライバ９２、操作部９の表面の一部を明るく照明する点灯表示用ＬＥＤ９３、点灯表示用ＬＥＤ９３を駆動するＬＥＤ駆動用トランジスタ９４、スイッチのＯＮ／ＯＦＦ検出を行う回路のスイッチマトリクス９５、液晶パネル９１に表示する文字／記号フォントＤＡＴＡを記録／転送し操作部全体の制御とホストとの通信を行うＭＰＵ９６、ＭＰＵ９６のバスを外部に接続する外部接続バスポート９７で構成する。
【００１０】
図３は、図２に示すＭＰＵ９６の内部構成を示す図である。ＭＰＵ９６の内部は、プログラム及びＤＡＴＡの書き換えが可能なフラッシュＲＯＭ９６３、ＣＰＵ９６１、ＲＡＭ９６２、Ｉ／Ｏ９６４、及びその他のブロック９６５がＭＰＵバスに接続される。フラッシュＲＯＭ９６３には、操作部が動作する時の制御プログラム、フォントデータ書き換えを制御するフォントデータ書き換えプログラム、及び文字フォントデータが記録されている。
【００１１】
図４は、図２に示すフラッシュＲＯＭ９６３のデータ例と、ファクシミリ装置の操作部に差し込んで、フラッシュＲＯＭ９６３のフォント書き換えを行う書き換え用治具のＲＯＭのデータ例とを説明するための図である。図５は、プリント回路基板（ＰＣＢ）を用いて形成した操作部及びフォント書き換え用治具の概略構成を示す斜視図で、図中、２０はフォント書き換え用治具、９１は液晶パネル、９８は操作部ＰＣＢである。図６は、外装カバーを装着した状態の操作部ＰＣＢ及びフォント書き換え用治具の概略構成を示す斜視図で、図中、９７Ｈは外部接続バスポート９７のコネクタへの接続用孔部、９９は操作部用の外装カバーで、その他図５と同一の要素には図５と同じ符号が付してある。
【００１２】
操作部ＰＣＢ９８に実装された外部接続バスポート９７のコネクタに、フォントデータを記録したＲＯＭを搭載するフォント書き換え用治具２０を差し込み、所定の操作を行うと、フラッシュＲＯＭ９６３に記録されたフォントデータＡをフォントデータＢに書き換えることができる。
【００１３】
本実施形態では、操作部ＰＣＢ９８が装置に組み付けられた状態で外部接続バスポート９７のコネクタが使えるような接続用孔部９７Ｈを操作部用の外装カバー９９に設け、外装カバー９９を装着して組み立てた状態の操作部９に対してフォント書き換え用治具を差し込み可能とした。
【００１４】
また、数種類の文字フォントデータをホストのメモリ２に記憶しておき、所定の操作が行われることにより、メモリ２からバス１０を経由して文字フォントデータを操作部９に転送し、ＭＰＵ９６に内蔵されたフラッシュＲＯＭ９６３のフォントデータ格納場所に書き込み更新する制御を行う。
【００１５】
【発明の効果】
以上説明したように、本発明によれば、液晶パネルに表示する文字／記号フォントデータがフラッシュＲＯＭに格納されており、格納されたフォントデータは、フォントの異なる国や地域に対応した書き換えが可能であるため、ユーザにとって表示が理解し易く使い易いファクシミリ装置が得られる。
また、販売拠点におけるユーザに合わせた言語フォントへの変更が装置を改造する必要なく可能であるため、ハードウェア構成を全世界共通とすることができ、製品価格を安く抑えられ、使用言語が複数混在する地域における販売には有利である。
【図面の簡単な説明】
【図１】  本発明によるファクシミリ装置の一実施形態を説明するためのシステムブロック図である。
【図２】  図１に示す操作部のさらに詳細な構成を示す図である。
【図３】  図２に示すＭＰＵの内部構成を示す図である。
【図４】  図２に示すフラッシュＲＯＭのデータ例と書き換え用治具のＲＯＭのデータ例とを説明するための図である。
【図５】  操作部ＰＣＢ及びフォント書き換え用治具の概略構成を示す斜視図である。
【図６】  外装カバー組み立て状態の操作部及びフォント書き換え用治具の概略構成を示す斜視図である。
【符号の説明】
１…制御部、２…メモリ、３…スキャナ、４…プロッタ、５…網制御部、６…モデム、７…符号化・複号化部、８…画像処理部、９…操作部、１０…バス、１１…電話回線、２０…フォント書き換え用治具、９１…液晶パネル、９２…液晶ドライバ、９３…点灯表示用ＬＥＤ、９４…ＬＥＤ駆動用トランジスタ、９５…スイッチマトリクス、９６…ＭＰＵ、９７…外部接続バスポート、９７Ｈ…外部接続バスポートのコネクタへの接続用孔部、９８…操作部ＰＣＢ、９９…操作部用の外装カバー、９６１…ＣＰＵ、９６２…ＲＡＭ、９６３…フラッシュＲＯＭ、９６４…Ｉ／Ｏ、９６５…その他のブロック。
【図１】
0003657130.tif 000002
【図２】
0003657130.tif 000003
【図３】
0003657130.tif 000004
【図４】
0003657130.tif 000005
【図５】
0003657130.tif 000006
【図６】
0003657130.tif 000007